(57)【要約】【課題】軽量で破損しにくく、一回で飲み切ることが容易なワインボトルを提供する。【解決手段】容器本体１は、ワイン取り出し用の開口を備えており、内部には５００ｍｌのワインを収容可能である。蓋２は、容器本体１の開口に着脱可能に取り付けられ、容器本体１を密閉する。容器本体１は、ＰＥＴ樹脂で構成され、有底円筒形状の胴部１０を備える。さらに胴部１０の上端から連続し、上方に向かって縮径する肩部１４を備える。さらに肩部１４の上端から連続し、上方に延びる円筒状の首部１５を備える。最後に、首部１５の上端から連続し、外周面に雄ねじ部が形成された口部１６を備える。ワイン取出し用の開口は、口部１６の上端に設けられている。容器本体１は、ボルドータイプの形状となっている。【選択図】図１
2013159352.tif 000002
【特許請求の範囲】
【請求項１】
ワイン取り出し用の開口を備え、内部に５００ｍｌのワインを収容可能な容器本体と、
前記開口に着脱可能に取り付けられ、前記容器本体を密閉する蓋と、
を備えたことを特徴とするワインボトル。
【請求項２】
前記容器本体は、ポリエチレンテレフタラート（ＰＥＴ）で構成されることを特徴とする請求項２記載のワインボトル。
【請求項３】
前記容器本体は、
有底円筒形状の胴部と、
前記胴部の上端に接続し、上方に向かって縮径する肩部と、
前記肩部の上端に接続し、上方に延びる円筒状の首部と、
前記首部の上端から連続し、上端に前記ワイン取出し用の開口を備え、外周面に雄ねじ部が形成された口部と、を備えることを特徴とする請求項１又は２記載のワインボトル。
【請求項４】
前記容器本体は、ボルドータイプの形状であることを特徴とする請求項１乃至３のいずれか一項に記載のワインボトル。
【請求項５】
前記蓋部は、内周部に雌ねじ部を備え、当該雌ねじ部と前記容器本体の口部の雄ねじ部との係合により、ワインを密閉して収容することを特徴とする請求項３記載のワインボトル。
【発明の詳細な説明】
【技術分野】
【０００１】
本発明は、内部にワインを収容するワインボトルに関する。
【背景技術】
【０００２】
ワインはブドウ果汁を発酵させたアルコール飲料であり、ブドウ酒とも呼ばれる。日本において、ワインは高級品として扱われ、長らくごく一部の富裕層にのみ飲まれてきた。しかしながら、昨今の輸入関税の緩和、フランス料理・イタリア料理などの西欧料理のブーム、さらにはワインに含まれるポリフェノールの作用に注目した健康ブーム等によって、ワインは広く一般に飲まれるようになった。ワインには様々な種類があるが、特に白ワインと赤ワインの２種類が知られている。白ワインは白ブドウを原料とし、発酵に果汁のみを使用したものである。赤ワインは黒ブドウ又は赤ブドウを原料とし、果実ごと発酵させたものである。
【０００３】
日本国内でも一部地域でワインは生産されているが、その生産量は非常に少ない。現在日本で消費されているワインの大部分は、世界各国で生産された輸入品である。ワインの生産国は、フランス、イタリア、アメリカ、アルゼンチン、南アフリカ等、世界中に分布している。近年では特に、南米のチリで生産されるワインが安価かつ高品質として注目されている。
【０００４】
ワインは、生産国においてワインボトルに充填される。このワインボトルをコンテナ等に積み込んで航空機や船舶で運搬することによって、ワインは日本に輸入される。
【先行技術文献】
【特許文献】
【０００５】
【特許文献１】特開２００３−２１２２８８号公報
【発明の概要】
【発明が解決しようとする課題】
【０００６】
ところで、このワインボトルは、ガラス製で容量が７５０ｍｌのものが一般的である。ワインを内部に収容した状態でのワインボトルの重量は約１ｋｇと重く、大量に輸送する場合に輸送コストがかかる問題があった。さらに、ガラスは割れやすいため破損によるロスが生じる可能性があった。消費者にとっても、重く割れやすいガラス製の瓶は持ち運びしやすいとは言い難く、購買意欲を減退させる可能性もあった。
【０００７】
このような問題を解決するための手段の一つとして、ワインボトルをガラスではなくブリキ・アルミ等の金属や樹脂容器で構成することが提案されている（例えば、特許文献１参照）。しかしながら、流通しているワインボトルの容量は、依然として７５０ｍｌのものが圧倒的に多い。７５０ｍｌのワインボトルには、重量とはまた別の問題がある。すなわち、７５０ｍｌはワイングラスにして６〜７杯分の量である。これを２人で飲む場合、飲み切るためには１人当たり３杯強のワインを飲む必要がある。これは、アルコール耐性が強くないといわれる日本人にとっては、些か多すぎる量である。したがって、必然的にワインを一回で飲み干すことができず、余った分は冷蔵庫に入れて保管することとなる。
【０００８】
しかしながら、容量７５０ｍｌのワインボトルの保存スペースを家庭用冷蔵庫で確保することは決して容易ではない。さらには、一旦開封してしまったワインボトルは密閉性に劣るため、酸化による風味劣化が避けられない。通称「ハーフボトル」と呼ばれる、３７５ｍｌの容量のワインボトルも流通はしているが、ハーフボトルを２人で飲んだ場合は、１人１杯強しか飲めないため、却って物足りないものとなってしまう。
【０００９】
本発明は、上述したような従来技術の問題点を解決するために提案されたものである。その目的は、ワインボトルを、軽量で破損しにくく、一回で飲み切ることが容易なものとすることで、輸送コストを軽減しかつ消費者の購買意欲を向上させることである。
【課題を解決するための手段】
【００１０】
本発明のワインボトルは、以下を備えるものである。
（ａ）ワイン取り出し用の開口を備え、内部に５００ｍｌのワインを収容可能な容器本体
（ｂ）容器本体の開口に着脱可能に取り付けられ、容器本体を密閉する蓋
また、容器本体は、ポリエチレンテレフタラート（ＰＥＴ）で構成される。
【発明の効果】
【００１１】
以上のような本発明によれば、５００ｍｌのワインを収容可能な容器本体を備えることにより、ワインボトルを軽量化して輸送コストを低減することができる。さらに、一回で飲み切り可能な容量とすることで、消費者の購買意欲を向上させることができる。また、ワインボトルをポリエチレンテレフタラート（ＰＥＴ）で構成することにより、軽く破損しにくいワインボトルを提供することができる。
【図面の簡単な説明】
【００１２】
【図１】本発明の実施形態に係るワインボトルの正面側を示す図面代用写真である。
【図２】本発明の実施形態に係るワインボトルの正面側を示す模式図である。
【図３】本発明の実施形態に係るワインボトルの背面側を示す図面代用写真である。
【図４】本発明の実施形態に係るワインボトルの右側面側を示す図面代用写真である。
【図５】本発明の実施形態に係るワインボトルの左側面側を示す図面代用写真である。
【図６】本発明の実施形態に係るワインボトルの平面側を示す図面代用写真である。
【図７】本発明の実施形態に係るワインボトルの底面側を示す図面代用写真である。
【発明を実施するための形態】
【００１３】
本実施形態に係るワインボトルについて、図面を参照しつつ詳細に説明する。図１、３〜７は、図面代用写真にて、本発明の実施形態に係るワインボトルを６方向から図示している。図２では、理解しやすいように、図１の正面図を模式図として示している。
【００１４】
（１．構成）
図１及び図２に示すように、ワインボトルは、容器本体１と蓋２とで構成される。容器本体１は、ワイン取出し用の開口を備え、内部に５００ｍｌのワインを収容可能である。蓋２は、容器本体１の開口に着脱可能に取り付けられ、容器本体１を密閉することができる。
【００１５】
容器本体１は、ポリエチレンテレフタラート（以下、「ＰＥＴ」という。）樹脂等の合成樹脂で構成される透明容器である。容器本体１は、胴部１０、肩部１４、首部１５、及び口部１６が長手方向に接続されてなり、いわゆるボルドータイプのワインボトルの形状となっている。本明細書では、胴部１０を下側にして載置した状態で、ワインボトルの上下方向の説明をする。
【００１６】
胴部１０は、略円筒形状であり、円筒の下端に底面が形成されている。図２に示すように、胴部１０の両端近傍にはそれぞれ、外周面に沿って段が付けられている。段から両端までの部分は、中心部と比べて若干大径となっている。胴部１０の中心部には、正面側ラベル１２と背面側ラベル１３（図３参照）とが貼り付けられている。図１に示すように、正面側ラベル１２には商品名や消費者の目を引き付けるための絵等が記載されている。例えば、図１では本出願人により販売されるワインの商品名ＥＣＯ  ＳＵＲ（登録商標）が記載されている。図３に示すように、背面側ラベル１３には、品名、原材料、アルコール分等、品質表示基準で必要とされる項目が記載されている。さらに、図７に示すように、胴部１０の底面には容器内部に向けて隆起するパント１１が設けられている。このパント１１は、ボルドータイプのワインボトルを特徴付ける形状の一つとなっている。
【００１７】
肩部１４は、図１及び図２に示すように、底の抜けた椀を１８０°回転させた形状となっている。肩部１４の下端は胴部１０の上端に接続しており、上端に向かって縮径しながら延びている。
【００１８】
首部１５は、略円筒形状であり、下端が肩部１４の上端に接続している。首部１５の上端は、わずかに縮径してくびれている。図６に示すように、平面視した場合、首部１５は胴部１０と同心円となっている。
【００１９】
口部１６は、略円筒形状であり、下端は首部１５の上端のくびれに接続している。首部１５との接続部分にはフランジ１７が形成されている。口部１６の上端はワイン取り出し用の開口となっている。図示しないが、口部１６の外周面には、雄ねじ部となる螺旋状の凸溝が形成されている。
【００２０】
蓋２は、ポリエチレン（ＰＥ）樹脂等の合成樹脂で構成される。その形状は上端が閉塞した円筒形状である。蓋２の外周面には、上端から下端近傍に向けて浅い直線溝が刻まれている。図２に示すように、直線溝が途切れた直下には外周面を取り囲むように切り込み線２ａが設けられている。切り込み線２ａから上端までの部分が蓋本体２０となる。切り込み線２ａから下端までの部分が、封止リング２１となる。蓋本体２０と封止リング２１とは、ねじり破断によって切り離し可能である。封止リング２１は口部１６の外周と略同径である。図示しないが、蓋２の内周面には、雌ねじ部となる螺旋状の凹溝が形成されている。
【００２１】
容器本体１は、例えば、射出成形機でＰＥＴ樹脂を試験管状に成形し、さらに延伸ブロー成形機でボトル状に成形することによって製造される。蓋２は、ＰＥ樹脂を射出成形機によって成形することによって製造される。
【００２２】
（作用）
製造された白ワイン又は赤ワインを、容器本体１の口部１６の開口から内部に充填する。５００ｍｌ充填されると、ワインは胴部１０及び肩部１４を満たし、首部１５の途中までを満たす。その後、蓋２を圧入等により口部１６に装着する。蓋２の内周面に設けられた雌ねじ部は、口部１６の外周面に設けられた雄ねじ部に嵌合し、容器本体１は密閉状態となる。
【００２３】
ワインボトルを開封する際には、蓋２の外周面を指で覆うようにつかみ、水平方向にねじる。この際、蓋２の外周面に設けられた浅い直線溝が滑り止めの作用を果たし、蓋２を容易にねじることができる。蓋２に所定以上の水平方向の力がかかると、蓋２は切り込み線２ａの部分でねじり破断され、蓋本体２０と封止リング２１とが分離する。封止リング２１は、口部１６のフランジ１７に当接して止まる。蓋本体２０は、内周面に設けられた雌ねじ部が口部１６の外周面に設けられた雄ねじ部に沿って摺動することによって上に移動し、口部１６との係合が解除されて取り外される。これによって、口部１６の開口から内部のワインを取り出して飲むことができる。
【００２４】
（効果）
本発明の実施形態によれば、ワインボトルの容器本体１をＰＥＴ樹脂で構成し、さらに５００ｍｌのワインを収容可能なサイズとしたことで、軽量でかつ破損しにくいワインボトルを提供することを可能とした。これによって、輸送コストを低減し、さらに破損による損失も防止することができる。さらに、消費者にとっても、持ち運びしやすく一回で飲みきることができる量のワインボトルは買い求めやすいものであるため、購買意欲を高めることができる。
【００２５】
また、本発明の実施形態によれば、容器本体１は、円筒の胴部１０が、肩部１４において縮径し、小径の首部１５へと連接した形状であり、いわゆるボルドータイプと呼ばれる伝統的なワインボトルの形状となっている。このため、ガラス製のワインボトルと同様の高級感を与えることができるので、消費者の購買意欲をさらに高めることができる。
【００２６】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００２７】
１  容器本体
２  蓋
２ａ  切り込み線
１０  胴部
１１  パント（底面隆起部）
１２  正面側ラベル
１３  背面側ラベル
１４  肩部
１５  首部
１６  口部
１７  フランジ
２０  蓋本体
２１  封止リング
【図２】
2013159352.tif 000003
【図１】
2013159352.tif 000004
【図３】
2013159352.tif 000005
【図４】
2013159352.tif 000006
【図５】
2013159352.tif 000007
【図６】
2013159352.tif 000008
【図７】
2013159352.tif 000009